(57)【要約】  【課題】  断路器の操作レバーを「入り」位置と「接地」位置との間の「切り」位置に確実に固定でき、「入り」位置から「接地」位置への移行操作を確実にし、誤操作を防止する。  【解決手段】  誤操作防止機構１は、断路器３０の可動接触子２２に連結されて、「入り」・「切り」・「接地」の３位置に回転操作する操作レバー２を回転軸３の軸線方向に揺動可能に支持し、ばね６により軸線方向の可動域の中間位置に付勢する。操作レバー２の「入り」「切り」「接地」の３位置の移動操作をクランク状のガイド部材５によりガイドし、「入り」位置と「接地」位置との相互間の回転操作を阻害する。「切り」位置で操作レバー２上のピン受け部材７の溝７ａに落ち込み、回転操作を阻止する一方、手動の通電操作によるソレノイド９の通電により解除するロックピン８を設け、「切り」位置の操作レバー２の回転操作に先立ち、ロックピン８の解除操作を要するものとした。【選択図】  図４
2014041715.tif 000002
【特許請求の範囲】
【請求項１】
リンク機構を介して断路器の可動接触子に連結され、この可動接触子を「入り」・「切り」・「接地」の３位置に回転操作するように回動自在に枢支される操作レバーの誤操作防止機構において、
前記操作レバーは、回転軸方向に揺動可能に支持され、
この操作レバーを軸線方向の可動域の中間位置に付勢するばねと、
前記操作レバーの「入り」位置及び「接地」位置への回転操作と、「切り」位置での軸線方向の揺動操作とをガイドし、「入り」位置と「接地」位置との相互間の移行途上の回転操作を阻害するクランク状のガイド部材とを具備することを特徴とする断路器用誤操作防止機構。
【請求項２】
「切り」位置において前記操作レバーの回転を妨げる位置に突出する一方、手動の通電操作によるソレノイドの通電により操作レバーの回転を妨げない待避位置に後退する出没可能なロックピンを具備し、
「切り」位置の前記操作レバーの回転操作に先立ち、ロックピンを解除するためのソレノイドの通電操作を要することを特徴とする請求項１に記載の断路器用誤操作防止機構。
【請求項３】
前記操作レバーの回転と共に前記ロックピンの出没部位に臨むように操作レバーに固定され、突出したロックピンが挿入される回転軸方向の溝を有するピン受け部材を具備することを特徴とする請求項２に記載の断路器用誤操作防止機構。
【請求項４】
突出状態の前記ロックピンをソレノイドを通電することなく手動で解除操作できるようにロックピンに連結された外部に露出した手動操作部材と、
この手動操作部材を、前記ロックピンの解除操作を妨げる状態に施錠可能な錠前とを具備することを特徴とする請求項２又は３に記載の断路器用誤操作防止機構。
【発明の詳細な説明】
【技術分野】
【０００１】
本発明は、例えばトロリ線などの二次側回路を電源回路などの主回路に接続するための断路器の誤操作による短絡事故を防止する機構に関するものである。
【背景技術】
【０００２】
従来、一端側がトグル機構に連結され、他端側が可動接触子に連結された主レバーを主軸に回転可能に設け、可動接触子を「入り」・「切り」・「接地」の３位置に回動操作でき、これら３位置に保持固定できる保持機構を設けた開閉器がある（特許文献１）。保持機構は、３つの溝を有するカム板を主軸に設け、このカム板の凹部に押圧部材を係合させ、この押圧部材を弾性体で付勢する構成である。
【先行技術文献】
【特許文献】
【０００３】
【特許文献１】実開平０５−０３８７４４号のＣＤ−ＲＯＭ
【発明の概要】
【発明が解決しようとする課題】
【０００４】
上記従来のものにあっては、操作が重くならないように、カム板の３つの凹部を接近した位置にそれぞれ浅く形成すると共に、弾性体の押圧力が比較的弱く設定される。このため、カム板の凹部から押圧部材が外れやすいため、「切」位置での保持状態が不安定で、外力により容易に押圧部材がカム板から外れてしまい、「入」又は「接地」位置に不用意に移動してしまうおそれがあり、短絡事故の原因となるそれがある。
そこで、本発明は、操作レバーを「入り」位置と「接地」位置との間の「切り」位置に確実に固定してから、「入り」位置又は「接地」位置に移行させ、断路器の操作を確実にし、安全性を向上させる断路器用誤操作防止機構を提供することを課題とする。
【課題を解決するための手段】
【０００５】
上記課題を解決するため、本発明においては、リンク機構２４を介して断路器２０の可動接触子２２に連結され、この可動接触子２２を「入り」・「切り」・「接地」の３位置に回転操作するように回動自在に枢支される操作レバー２の誤操作防止機構１において、操作レバー２を回転軸３の軸線方向に揺動可能に支持し、この操作レバー２をばね６により軸線方向の可動域の中間位置に付勢し、操作レバー２の「入り」位置及び「接地」位置への回転操作に先立ち、「切り」位置での軸線方向の揺動操作をクランク状のガイド部材５によりガイドすることにより、「入り」位置と「接地」位置との相互間の回転操作を阻害するようにした。
「切り」位置において操作レバー２の回転を妨げる位置に突出する一方、手動の通電操作によるソレノイド９の通電により操作レバー２の回転を妨げない待避位置に後退する出没可能なロックピン８を具備させ、「切り」位置の操作レバー２の回転操作に先立ち、ロックピン８を解除するためのソレノイド９の通電操作を要するものとした。
操作レバー２の回転と共にロックピン８の出没部位に臨むように操作レバー２に固定され、突出したロックピン８が挿入される溝７ａを有するピン受け部材７を具備させた。
突出状態のロックピン８を、ソレノイド９を通電することなく手動で解除操作できるように外部に露出してロックピン８に連結される手動操作部材１２と、この手動操作部材１２を、ロックピン８の解除操作を妨げる状態に施錠可能な錠前１３とを具備させた。
【発明の効果】
【０００６】
本発明の断路器用誤操作防止機構においては、「入り」位置と「接地」位置との間の回転操作をガイド部材で規制すると共に、軸方向への揺動操作を要するので、操作レバーの「入り」位置と「接地」位置との間の連続的な操作を妨げるし、外力が作用しても「切り」位置で確実に回転操作を阻止するので、短絡事故を未然に防止することができる。
また、ロックピンにより操作レバーの回転を阻止でき、「切り」位置で確実に操作レバーの回転操作を停止できるし、「入り」位置や「接地」位置への操作に先立ちロックピンの解除操作を要するので、「入り」位置と「接地」位置との間の誤操作が確実に回避される。
ピン受け部材の溝へのロックピンの突出により抜けを確実に防止できる。
停電などの非常時においてソレノイドの通電ができない状態でも、手動操作部材によりロックピンを手動で解除操作できる。手動操作部材によるロックピンの手動解除操作は、錠前により規制することができ、関係者以外の操作を阻止できる。
【図面の簡単な説明】
【０００７】
【図１】断路器の主要部の正面図である。
【図２】断路器の主要部の側面図である。
【図３】本発明に係る誤操作防止機構の正面図である。
【図４】図３の誤操作防止機構の側面図である。
【図５】操作レバーの回転軸の平面図である。
【図６】図３の誤操作防止機構の動作過程を示す説明図である。
【図７】（Ａ）は操作レバーのロック機構の正面図、（Ｂ）は同じく側面図である。
【発明を実施するための形態】
【０００８】
本発明の実施の一形態を図面に基づいて説明する。
図１，図２において、断路器２０は、間隔を置いて配置された主固定接触子２１と接地用固定接触子２３との間に、これらの一方に接続可能な可動接触子２２が揺動可能に支持される。可動接触子２２は、主固定接触子２１に接続可能な主接触片２２ａと、接地用固定接触子２３に接続可能な接地用接触片２２ｂとがＬ字状に結合して成る。可動接触子２２は、主固定接触子２１に接続する「入り」位置と、両固定接触子２１，２３に接続していない「切り」位置と、接地用固定接触子２３に接続する「接地」位置とに択一的に配置するように操作レバー２により操作される。この操作レバー２は、図３に示すように、中間部が上下方向に回動自在に回転軸３に支持され、一端側がリンク機構２４を介して可動接触子２２に連結され、他端側に操作レバー２を操作するための把手２ａを備える。
【０００９】
誤操作防止機構１は、図４に示すように、操作レバー２の回転軸３を支持する枠体４の下部前板４ａにガイド部材であるクランク状の切り抜き５を具備する。切り抜き５は、枠体４から突き出た操作レバー２を前板４ａに貫通させ、可動接触子２２の「入り」位置、「切り」位置、「接地」位置に対応する操作レバー２の可動範囲を規制する。切り抜き５は、操作レバー２の「入り」位置と「切り」位置との間の回転範囲をガイドする下直線部５ａと、下直線部５ａの上端から直角方向に連続する横直線部５ｂと、横直線部５ｂの他端から直角方向に連続し「切り」位置と「接地」位置との間の回転範囲をガイドする上直線部５ｃとを有する。
【００１０】
操作レバー２の回転軸３には、図５に示すように、操作レバー２の両側にブラケットとの間で回転軸３周りにばね６が係止されている。ばね６は、操作レバー２を「切り」位置のほぼ中央に押圧する。回転軸３の中間部には、操作レバー２を軸方向に揺動可能な遊びをもって貫通させ、両端の段部において操作レバー２の軸方向の移動を阻止する小径部３ａを備える。揺動操作レバー２を「入り」位置と「接地」位置との間で移動させるには、その途上の「切り」位置で操作レバー２を切り抜き５の横直線部５ｂに沿って傾けて下直線部５ａ又は上直線部５ｃに合わせる操作が必要となる。
【００１１】
図６に示すように、操作レバー２には、回転軸３の近傍位置にピン受け部材７が固定されている。ピン受け部材７は、上面が断面円弧状をなし、頂部にロックピン８が操作レバー２の「切り」位置において落ち込む軸線方向の溝７ａが設けられている。図７に示すように、ロックピン８は、枠体４の上部内に取付板１０を介して固定されたソレノイド９の通電により上位置に変位する可動片９ａに連結される。ソレノイド９は、断路器２０が介入して主回路に接続される二次側回路が無電圧状態のときに、枠体４の上部前板４ｂ上の解除ボタン１１を押すと通電し、可動片９ａを介してロックピン８を上位置に引き込むことによりピン受け部材７の溝７ａから引き抜く。
【００１２】
ロックピン８には、停電時のソレノイド９の通電不能に備えて、ロックピン８の引き抜きを可能にするため、錠前１３付きの引き上げ用手動操作部材１２が結合される。この手動操作部材１２は、ロックピン８を貫通させて相対的な上下移動を許容するが、外部に露出する押上ピン１２ａの押上操作によりロックピン８と可動片９ａとの連結部に突き当たりロックピン８を可動片９ａもろとも押し上げて、ピン受け部材７の溝７ａから引き抜く。錠前１３は、手動操作部材１２の下降位置で押上ピン１２ａに掛け金を通して施錠することができ、押上ピン１２ａによるロックピン８の押上操作を阻止する。枠体４の上部前板４ｂには解除ボタン１１のほか無電圧を表示するための表示灯１４が設けられている。表示灯１４は、二次側回路に組み込まれた電圧検知器からの信号により二次側回路が無電圧状態のときに点灯する。
【００１３】
断路器２０を「切り」状態から「入り」状態に操作する場合には、表示灯１４の点灯により無電圧状態を確認した上で、解除ボタン１１を押してロックピン８をピン受け部材７の溝７ａから引き抜き、操作レバー２を「入り」位置に回転させる。操作レバー２は、回転操作に先立ち横直線部５ｂに沿って下直線部５ａへ向かわせる傾き操作を要する。
断路器２０を「入り」状態から「切り」状態に操作する場合には、操作レバー２を下直線部５ａに沿って「切り」位置に回転させる。操作レバー２が「切り」位置に至ると、下直線部５ａの上端縁に突き当たると共に、ロックピン８が自重でピン受け部材７の溝７ａに落ち込むので、以降の回転が阻止される。
断路器２０を「切り」状態から「接地」状態に操作する場合には、表示灯１４の点灯により無電圧状態を確認した上で、解除ボタン１１を押してロックピン８をピン受け部材７の溝７ａから引き抜き、操作レバー２を「接地」位置に回転させる。操作レバー２は、回転操作に先立ち横直線部５ｂに沿って上直線部５ｃへ向かわせる傾き操作を要する。
断路器２０を「接地」状態から「切り」状態に操作する場合には、操作レバー２を上直線部５ｃに沿って「切り」位置に回転させる。操作レバー２が「切り」位置に至ると上直線部５ｃの下端縁に突き当たると共に、ロックピン８が自重でピン受け部材７の溝７ａに落ち込むので、以降の回転が阻止される。
断路器２０は、常時錠前１３付きの手動操作部材１２によりピン受け部材７に係合したロックピン８の手動による引き抜きが阻止され、無電圧状態を確認することなく操作を行うことを防止する。停電の場合には、解除ボタン１１による通電が不可能となるので、錠前１３を解錠して引き上げ用手動操作部材１２の押上ピン１２ａを手動で押し上げ、ピン受け部材７に係合したロックピン８を引き抜けば、断路器２０を「切り」位置から「入り」位置又は「接地」位置に操作できる。
【符号の説明】
【００１４】
１    誤操作防止機構
２    操作レバー
３    回転軸
４    枠体
４ａ  下部前板
４ｂ  上部前板
５    切り抜き
５ａ  下直線部
５ｂ  横直線部
５ｃ  上直線部
６    ばね
７    ピン受け部材
７ａ  溝
８    ロックピン
９    ソレノイド
９ａ  可動片
１１    解除ボタン
１２    手動操作部材
１２ａ  押上ピン
１３    錠前
２０    断路器
２１    主固定接触子
２２    可動接触子
２２ａ  主接触片
２２ｂ  接地用接触片
２３    接地用固定接触子
２４    リンク機構
【図１】
2014041715.tif 000003
【図２】
2014041715.tif 000004
【図３】
2014041715.tif 000005
【図４】
2014041715.tif 000006
【図５】
2014041715.tif 000007
【図６】
2014041715.tif 000008
【図７】
2014041715.tif 000009